(57)【要約】【課題】    本発明は、外観意匠性を追求したものであっても耐久性を有するとともに、効率的な製造が可能となる装身用チェーンを提供することにある。【解決手段】  鎖本体１と、止具２とを備えており、鎖本体１は、多数の鎖構成部材６，６ａを一続きに連ねて連結したものであり、止具２は、鎖本体１の長手方向の一端側部１ａを挿通して保持するものであり、鎖本体１の一端側部１ａを構成する任意の複数個の鎖構成部材６を圧縮し、鎖構成部材６同士を揺動不能な棒状に成形して止具２の被保持部５としたことを特徴とする。【選択図】      図１（ａ）（ｂ）
2015177888.tif 000002
【特許請求の範囲】
【請求項１】
鎖本体と、止具とを備えており、鎖本体は、多数の鎖構成部材を一続きに連ねて連結したものであり、止具は、鎖本体の長手方向の一端側部を挿通して保持するものであり、
鎖本体の一端側部を構成する任意の複数個の鎖構成部材を圧縮し、鎖構成部材同士を揺動不能な棒状に成形して止具の被保持部としたことを特徴とする装身用チェーン。
【請求項２】
鎖本体の一端側部に被覆部材を被せるとともに、被覆部材の外周側から一端側部と一緒に圧縮して止具の被保持部としたことを特徴とする請求項１記載の装身用チェーン。
【発明の詳細な説明】
【技術分野】
【０００１】
本発明は、コマと呼ばれるリング状の鎖構成部材を多数連結して構成される装身用チェーンに関するものである。
【背景技術】
【０００２】
装身用チェーンは、金やプラチナ、銀等の貴金属原料からなるコマとよばれるリング状をなす鎖構成部材を一続きに多数連結して鎖本体を構成し、さらに、鎖本体の一端側部と他端側部を、そのいずれかに設けた止具で連結し、無端状とするものである。このような装身用チェーンは、鎖本体の長手方向の一端側部に引輪などを連結し、その引輪などの止具で鎖本体の他端側部の鎖構成部材を連結するものが一般的であった。
【先行技術文献】
【特許文献】
【０００３】
【特許文献１】実用新案登録第３０５８１２１号公報
【発明の概要】
【発明が解決しようとする課題】
【０００４】
上記のような装身用チェーンにあっては、鎖本体の他端側部に引輪を連結するものであったことから、引輪のような異形の止具によって鎖本体の連続的な外観意匠性が損ねられる懸念があった。さらに、球状や多面体等の装飾性を有する中空部品の中に筒状をなす弾性部材を入れた止具を使用し、その弾性部材の筒孔に鎖本体を挿通して保持させることで鎖本体を無端状にするものもあった。このような装身用チェーンの場合、鎖本体の長手方向の一端側部に止具を挿通し易くするためのガイドとなる被保持部材が連結してある。ところが、そのような被保持部材は、鎖本体とは別の部材であり、連結部位を設けて鎖本体に連結する構造であったことから、その連結部位を設ける加工工程を要することになる。さらに、被連結部材の連結部位が鎖本体の連続的な外観意匠性を損ねるものであり、また、被連結部材を止具に挿通したときには連結部位に大きな負荷がかかり、被連結部材の破損など耐久性に難があった。
本発明は、上記課題を鑑みてなされたものであり、外観意匠性を追求したものであっても耐久性を有するとともに、効率的な製造が可能となる装身用チェーンを提供することにある。
【課題を解決するための手段】
【０００５】
本発明のうち請求項１記載の発明は、鎖本体と、止具とを備えており、鎖本体は、多数の鎖構成部材を一続きに連ねて連結したものであり、止具は、鎖本体の長手方向の一端側部を挿通して保持するものであり、鎖本体の一端側部を構成する任意の複数個の鎖構成部材を圧縮し、鎖構成部材同士を揺動不能な棒状に成形して止具の被保持部としたことを特徴とする。ここで、圧縮の手法としては、把持工具などにより鎖本体の一端側部を捻ることで複数個の鎖構成部材を絞りながら径を小さくするもの、あるいは、鎖本体をダイスなどに通して引っ張ることにより任意個数の鎖構成部材の外周部を押圧して径を小さくするものなどが挙げられる。
【０００６】
本発明のうち請求項２記載の発明は、鎖本体の一端側部に被覆部材を被せるとともに、被覆部材の外周側から一端側部と一緒に圧縮して止具の被保持部としたことを特徴とする。
【発明の効果】
【０００７】
本発明の請求項１記載の発明によれば、鎖本体の長手方向の一端側部を構成している任意の個数の鎖構成部材を圧縮し、鎖構成部材を各々揺動不能な状態とすることにより、鎖本体の一部を利用して止具の保持に適した棒状をなす被保持部を構成することができる。これにより、鎖本体の一部で止具の被保持部を構成することから、装身用チェーンの連続的な外観意匠性が保たれる。さらに、被保持部で止具を挿通するときに、被保持部と鎖本体との連結箇所がないことから、被保持部による止具への挿通時にかかる負荷に対して耐久性を有することで、耐用期間の長い装身用チェーンを提供できる。
【０００８】
本発明の請求項２記載の発明によれば、鎖本体の一端側部に被覆部材を被せて外周側から一緒に圧縮することにより、被覆部材が鎖本体の一端側部を覆うと同時に装飾性が向上し、より付加価値の高い装身用チェーンを提供できる。
【図面の簡単な説明】
【０００９】
【図１（ａ）（ｂ）】図３中のＡを拡大し、本実施による装身用チェーンの止具の保持構造を示す（ａ）は、縦断面図であり、（ｂ）は、正面図である。
【図２（ａ）（ｂ）（ｃ）】（ａ）〜（ｃ）は、本実施による装身用チェーンの製造工程を示す簡略化した縦断面図である。
【図３】本実施による装身用チェーンの全体を示す正面図である。
【図４（ａ）（ｂ）】本発明による第二実施形態の装身用チェーンの止具の保持構造を拡大して示す（ａ）は、縦断面図であり、（ｂ）は、正面図である。
【図５（ａ）（ｂ）（ｃ）】（ａ）〜（ｃ）は、第二実施形態の装身用チェーンの製造工程を示す簡略化した縦断面図である。
【図６（ａ）（ｂ）】本発明による第三実施形態の装身用チェーンの止具の保持構造を拡大して示す（ａ）は、縦断面図であり、（ｂ）は、正面図である。
【図７（ａ）（ｂ）】本発明による第四実施形態の装身用チェーンの止具の保持構造を拡大して示す（ａ）は、縦断面図であり、（ｂ）は、正面図である。
【発明を実施するための形態】
【００１０】
以下に、図面に基づいて本実施による装身用チェーンについて説明する。
本実施による装身用チェーンは、図１（ａ）（ｂ）と図３のように、金や銀、プラチナなどの貴金属原料からなる鎖本体１と、止具２とから構成されている。また、鎖本体１の一端側部１ａは、止具２の被保持部５となっており、さらに、鎖本体１の他端側部１ｂには止具２が連結してあり、被保持部５に止具２を保持することで、使用者が装身可能な無端状態となる。
【００１１】
鎖本体１は、コマと呼ばれるリング状をなす鎖構成部材６を一続きに多数連ねたものである。また、上記の鎖構成部材６については、本実施のものでは、喜平あるいはあずき型と呼ばれるものが使用されている。さらに、止具２については、貴金属原料からなる球状の中空部品４と、筒状をなす弾性部材３とからなり、このうち中空部品４は、内部に弾性部材３を入れる中空部を有するとともに、その周壁の内周面同士が対向する二箇所に挿通孔４ａ，４ｂがそれぞれ設けてある。さらに、中空部品４の周壁の外周面には、鎖本体１の他端側部１ｂと連結する丸環７が溶着してある。また、弾性部材３は、筒の通し孔に鎖本体１の被保持部５を通し、被保持部５の長手方向の任意の位置で保持するもので、止具２で上記の被保持部５を抜け出し不能に保持するため、弾性を有するシリコンゴムにより成形してある。
【００１２】
止具２が保持する被保持部５は、鎖本体１の長手方向の一端側部１ａを構成する複数個の鎖構成部材６からなっている。本実施のものでは、連結したときに約１〜２ｃｍの長さに連なる任意個数の各鎖構成部材６を、粉状接着剤を貯めた接着層に落とし込み、鎖構成部材６同士が連結する当接箇所をその粉状接着剤により接着して仮固定する。さらに、図２（ａ）〜（ｃ）のように、仮固定後の鎖本体１の一端側部１ａを把持工具１２で把持し、さらに、把持工具１２を回転して捩じりながら各鎖構成部材６を圧縮して外径を絞ることによって、連結された鎖構成部材６同士の隙間が小さくなって不動状態で緊密に隣接する。これにより、鎖本体１の一端側部１ａを構成する任意個数の各鎖構成部材６が揺動不能な棒状に成形され、この揺動不能な部位が止具２の被保持部５となる。
【００１３】
上記のように形成した鎖本体１の一端側部１ａに設けられる被保持部５と、同じく、鎖本体１の他端側部１ｂに連結される止具２との保持構造について、図１（ａ）に基づいて以下に説明する。
止具２の挿通孔４ａ，４ｂのいずれかに、鎖本体１の被保持部５を挿通することにより、止具２の中に入れてある弾性部材３の弾性で被保持部５の外周部が保持される。これにより、鎖本体１の被保持部５は、止具２の弾性部材３の弾性による押圧力で保持されるので、止具２から容易に抜けなくなる。さらに、被保持部５が任意に設定できる一定の長さを有することから、使用者が本実施による装身用チェーンを装身して鎖本体１が不意に引っ張られるようなアクシデントが起きても、被保持部５の長手方向に止具２が僅かに摺動する程度で、身体から脱落することがない。また、被保持部５は、鎖本体１の一端側部１ａを構成する複数個の鎖構成部材６を圧縮する構造であるから、被保持部５の外周部の表面は凹凸状になることで、被保持部５が止具２の中の弾性部材３で保持されたときに、弾性部材３に被保持部５の凹凸が食い込んで止具２が抜けにくくなる。
【００１４】
本発明の第二実施形態について、図４（ａ）（ｂ）と図５（ａ）〜（ｃ）に基づいて説明する。
尚、図４（ａ）（ｂ）、そして、後述する第３実施形態の図６（ａ）（ｂ）、第四実施形態の図７（ａ）（ｂ）については、それぞれの装身用チェーンにおいて、上記第一実施形態の図３と同じ箇所を拡大して示すものである。
【００１５】
本実施による装身用チェーンは、止具２および鎖本体１を構成する鎖構成部材６については、上記第一実施形態とほぼ同一のものを使用するが、被保持部５の構造が異なるものである。被保持部５は、図５（ａ）〜（ｂ）のように、鎖本体１の一端側部１ａの外周部に、筒状をなす被覆部材９が被さる構造である。さらに、本実施による止具２の被保持部５を成形するときには、鎖構成部材６よりも僅かに径が大きな被覆部材９を被せてある。そして、上記の被覆部材９の外周部をダイス１３等で全周に亘って圧縮することにより、被覆部材９と、その被覆部材９が覆う複数個の鎖構成部材６が同時に圧縮されて径が絞られる。また、上記にて圧縮した後の被覆部材９および鎖構成部材６の外径は、鎖本体１の圧縮されていない部位の外径とほぼ同じ径となるように調整してあり、これにより、鎖本体１と被保持部５の外観意匠が連続性を有することになる。
【００１６】
上記のように形成された装身用チェーンは、鎖本体１の一端側部１ａを被覆部材９が覆うかたちの被保持部５を有することになる。そして、上記の被保持部５に対して止具２を保持するときに、止具２の弾性部材３は、各鎖構成部材６の外周部の凹凸と、被覆部材９が上記の凹凸に跨って被さることによる表面の滑らかさを兼ね備えた被保持部５を保持することになる。したがって、止具２の弾性による保持力と、被覆部材９の周壁が案内することで、止具２の抜き差しが円滑になることにより、身体への装着と取り外しが容易であり、且つ使用感の良好な装身用チェーンを提供できる。
【００１７】
また、本発明の第三実施形態として、図６（ａ）（ｂ）のように、鎖本体１の一端側部１ａの中間部に被覆部材９を被せた止具２の被保持部５を形成したものである。そして、被保持部５は、鎖本体１の一端側部１ａから最端の鎖構成部材６ａのみが露出するかたちで被覆部材９を被せ、さらに、上記の被覆部材９が被さる範囲のみを外周側からダイス１３などで圧縮することにより、最端の鎖構成部材６ａが被覆部材９の鎖本体１からの抜け止めと、他の装飾部品（本実施のものでは他の鎖本体２１を連結する引輪１１）との連結手段を兼ねた構造となる。このように形成した被保持部５は、弾性部材３が周壁の全周に亘ってしっかりと密着して止具２との保持状態を保持しつつ、本発明による装身用チェーンの装飾性を多様に発展させることができる。これにより、様々な服装に適応できる付加価値の高い装身用チェーンを提供できる。
【００１８】
さらに、図７（ａ）（ｂ）のものは、本発明の第四実施形態として、止具２の被保持部５を構成する被覆部材９の外周壁部に溝１０を設けたものである。この溝１０を設けることにより、被保持部５を止具２で保持したときに、止具２の弾性部材３が溝１０に食い込むので、止具２は、被保持部５の長手方向に抜けにくくなり、本実施による装身用チェーンの使用時に不意に脱落する懸念がより一層解消される。
【００１９】
本発明による装身用チェーンは、鎖本体１の一端側部１ａを圧縮し、その一端側部１ａを構成する各鎖構成部材６を圧縮し、任意に設定できる複数個の鎖構成部材６の各々が揺動不能な棒状に成形されるものであればよい。そして、各鎖構成部材６の圧縮の手法は、上記第一実施形態のもののように把持工具１２などを用いて捻りによるもの、また、上記第二実施形態のようにダイス１３等により被保持部５の外周部の全周に亘って絞るものの他、鎖本体１の一端側部１ａを構成する複数の鎖構成部材６を圧縮し、各鎖構成部材６のそれぞれの連結箇所が揺動しないように固定できる手法であればよい。さらに、圧縮する鎖構成部材６の個数や、その圧縮率等は、連結してある鎖構成部材６同士が揺動しない状態となれば限定されない。また、被覆部材９についても、鎖本体１の一端側部１ａの外周部に被せることのできる筒やスリーブの内径を有するものであれば、その周壁の肉厚、あるいは被覆部材９の長さ等を限定するものではない。さらに、止具２は、上記の実施形態では球状をなす中空部品４に筒状の弾性部材３を入れるものを使用しているが、中空部を有し、その中に弾性部材３を収容できる形状であれば、多面体やその他のものであってもよい。
【符号の説明】
【００２０】
１  鎖本体
１ａ  一端側部  
１ｂ  他端側部
２  止具
３  弾性部材
４  中空部品
４ａ，４ｂ  挿通孔
５  被保持部
６，６ａ  鎖構成部材
７  丸環
９  被覆部材
１０  溝
１１  引輪
１２  把持工具
１３  ダイス
２１  他の鎖本体
【図１（ａ）（ｂ）】
2015177888.tif 000003
【図２（ａ）（ｂ）（ｃ）】
2015177888.tif 000004
【図３】
2015177888.tif 000005
【図４（ａ）（ｂ）】
2015177888.tif 000006
【図５（ａ）（ｂ）（ｃ）】
2015177888.tif 000007
【図６（ａ）（ｂ）】
2015177888.tif 000008
【図７（ａ）（ｂ）】
2015177888.tif 000009